(57)【要約】【課題】上下分級板間の間隔を視認しながら調整できるとともに、ケーシング内に塵埃の発生することのない安価な分級機を提供する。【解決手段】上ケーシング体及び下ケーシング体を備えたケーシングと、上ケーシング体内に固定状に配された上分級板12と、下ケーシング体内に固定状に配された下分級板11と、上ケーシング体を下ケーシング体に対して上下へ摺動させて上下分級板の間隔を調整する移動手段とを備えている。移動手段は、ケーシング体を構成する主部材2aと、ケーシング体を構成するとともに主部材に対して移動自在に取り付けられた環状溝型部材2bと、環状溝型部材2bの開口を塞ぐとともに垂直ネジ孔が開けられた円環状部材2cと、垂直ネジ孔に噛み合ったネジが駆動軸4aに形成されたステッピングモータ4とを備えている。【選択図】図２
2007105697.tif 000002
【特許請求の範囲】
【請求項１】
上ケーシング体および下ケーシング体を備えたケーシングと、
上ケーシング体内に固定状に配された上分級板と、
下ケーシング体内に固定状に配された下分級板と、
上ケーシング体を下ケーシング体に対して上下へ摺動させて上下分級板の間隔を調整する移動手段とを備えた、分級機。
【請求項２】
下ケーシング体、ガイドルーバ体および上ケーシング体とを備えたケーシングと、
上ケーシング体内に固定状に配された上分級板と、
下ケーシング体内に固定状に配された下分級板と、
ガイドルーバ体および上ケーシング体を下ケーシング体に対して相対的に上下へ摺動させて下分級板とガイドルーバ体との間隔を調整する移動手段と、を備えた分級機。
【請求項３】
移動手段が、ケーシング体を構成する主部材と、ケーシング体を構成するとともに主部材に対して移動自在に取り付けられた環状溝型部材と、環状溝型部材の開口を塞ぐとともに垂直ネジ孔が開けられた円環状部材と、垂直ネジ孔に噛み合った
ネジが駆動軸に形成されたステッピングモータとを備えている、請求項１または２記載の分級機。
【請求項４】
ケーシング体内の気密を保つシール手段とを備えた、請求項１〜３に記載の分級機。
【発明の詳細な説明】
【技術分野】
【０００１】
本発明は、分級室に供給した粉体材料を高速旋回させ、微粉と粗粉とに遠心分離させる分級機に関する。詳しくは、分級室の分級板の昇降を可能にした分級機に関する。
【背景技術】
【０００２】
分級機では、分離粒子径を調節するために、上下の分級板の間隔を変化させることが行われている。このような分級機として、特開平３−１７４２８５号公報（特許文献１）に記載のものがある。
【０００３】
この分級機は、ケーシングと、ケーシングの内部に配された上下一対の傘状分級板とを備え、一対の分級板間が、分級室とされている。また、下の分級板の中央に開口が開けられ、この開口に微粉排出管が接続されている。そして、分級機本体外部からの操作により、下分級板を昇降させ、任意の分級点に設定することができる下分級板昇降装置を備えている。
【０００４】
下分級板昇降装置は、分級機本体外部からケーシング内部に突出するとともに突出部先端に傘歯車が形成された水平操作軸と、下分級板の円筒部に形成されたネジ部と、円筒部および傘歯車部を有し、円筒部にネジ部が形成され、かつこのネジ部と下分級板のネジ部が噛み合っているとともに、傘歯車部が操作軸の傘歯車と噛み合っている被操作部材とを備えている。
【０００５】
この分級機では、操作軸の回転によって被操作部材が回転させられる。そして、被操作部材の回転により下分級板が上下する。
【特許文献１】特開平３−１７４２８５号公報
【発明の開示】
【発明が解決しようとする課題】
【０００６】
上記従来の分級機では、ケーシング内に、操作軸の傘歯車と被操作部材の傘歯車、被操作部材のネジ部と下分級板のネジ部という、複数の噛み合い部が有り、ネジ部や歯車の摩耗により塵埃が発生する。このために上記分級機では、噛み合い部をシールしているが、このシール機構が複雑となってしまい装置の高コスト化を招くという問題がある。また下分級板のみを動かすので調整幅が狭いという問題がある。さらに、調整する下分級板は、ケーシング内にあり、外部から調整状態のチェック確認ができない。
【０００７】
本発明は、上記問題を解決することを課題とし、上下分級板間の間隔を視認しながら調整できるとともに、ケーシング内に塵埃の発生することのない安価な分級機を提供することを目的とする。
【課題を解決するための手段】
【０００８】
上記課題を解決するために、本発明の分級機は、
上ケーシング体および下ケーシング体を備えたケーシングと、
上ケーシング体内に固定状に配された上分級板と、
下ケーシング体内に固定状に配された下分級板と、
上ケーシング体を下ケーシング体に対して相対的に上下へ摺動させて上下分級板の間隔を調整する移動手段とを備えたものである。
【０００９】
また、下ケーシング体、ガイドルーバ体および上ケーシング体とを備えたケーシングと、
上ケーシング体内に固定状に配された上分級板と、
下ケーシング体内に固定状に配された下分級板と、
ガイドルーバ体および上ケーシング体を下ケーシング体に対して相対的に上下へ摺動させて下分級板とガイドルーバ体との間隔を調整する移動手段と、ケーシング体内の気密を保つシール手段とを備えたを備えたものである、
上記の分級機において、
移動手段が、ケーシング体を構成する主部材と、ケーシング体を構成するとともに主部材に対して移動自在に取り付けられた環状溝型部材と、環状溝型部材の開口を塞ぐとともに垂直ネジ孔が開けられた円環状部材と、垂直ネジ孔に噛み合ったネジが駆動軸に形成されたステッピングモータとを備えている、ことがある。
【発明の効果】
【００１０】
請求項１記載の分級機によれば、上下分級板の間隔を調整することが出来る。そして、上ケーシング体が下ケーシング体に対して上下に摺動することで上下分級板の間隔を調整するので摺動部のシールは容易であり、分級機が高価になることがない。
【００１１】
請求項２記載の分級機によれば、下分級板とガイドルーバ体との間隔を調整することが出来る。したがって請求項１記載の装置の移動手段に加えて、請求項２記載の移動手段を設ければ、分離粒子径の調整範囲がさらに広くなる。
【００１２】
請求項３記載の分級機によれば、移動手段を簡便かつ安価に構成することが出来る。
【発明を実施するための最良の形態】
【００１３】
以下、図１〜図４を参照して本発明の一実施形態の分級機について説明する。
【００１４】
図１に示すように、分級機１は上ケーシング体３、下ケーシング体２および上下ケーシング体３の間に配されたガイドルーバ体６により構成されるケーシングと、上ケーシング体３およびガイドルーバ体６を下ケーシング体２に対して上下へ移動させる第一移動手段と、ガイドルーバ体６に対して上ケーシング体３を相対的に移動させる第二移動手段とを備えている。
【００１５】
上ケーシング体３は円筒状をなし、上ケーシング体３内の下部に傘状の上分級板12が固定状に配されている。
【００１６】
下ケーシング体２は下方に向かって縮径する円錐状をなし、下端開口が粗粉回収口とされている。そして、下ケーシング体２内の上部に、上分級板12と間隔を置いて傘状の下分級板11が固定状に支持されており、上下分級板12、11間が分級室とされている。下分級板11の中央には開口が開けられ、この開口にＬ字状をなす微粉回収管13が接続されている。
【００１７】
なお、上下分級板12，11の構成、これらの支持手段、微粉回収管13の構成等は公知の分級機と変わりなく説明は省略し、以下、第一および第二移動手段について詳細に説明する。
【００１８】
下ケーシング体２は、下部円錐状部および上縁の円筒部よりなる下主部材2aと、下主部材2aの上縁円筒部に取り付けられた下方開口環状溝型部材2b（以下、下溝型部材と呼ぶ）とを備えている。
【００１９】
下主部材2aの円筒部には上方が開口した環状溝部が形成されており、環状溝部の外周壁と内周壁との間には環状溝部の開口を塞ぐように板状の円環状部材2cが固定されている。円環状部材2cには、周方向に等間隔をおいて２つの貫通孔が開けられ、各貫通孔にボールネジのボール循環機構部2dが配され、後に述べるステッピングモータ４の駆動軸4aとボール循環機構部2dとでボールネジ機構が構成されている。また、円環状部材2cの内壁に形成された周溝にＯリング７が配されている。
【００２０】
一方、環状の下溝型部材2bは下主部材2aの環状溝部に嵌め被せられており、下溝型部材2bの内壁に円環状部材2cのＯリング７が当接した状態となっている。また下溝型部材2bの外壁内面下縁には環状のフェルト製シール部材８が配されており、このシール部材８が、下主部材2aの外周面に当接した状態となっている。
【００２１】
下溝型部材2b内には、ステッピングモータ４が固定されている（以下、このステッピングモータを下ステッピングモータと呼ぶ）。下ステッピングモータ４は、下主部材2aの円環状部材2cのボール循環機構部2dと対応する位置に、すなわち２箇所に、かつ下ステッピングモータ４の駆動軸4aが下方に向かって伸びるように配されている。そして、下ステッピングモータ４の駆動軸4aにはネジが切られており、駆動軸4aのネジとボール循環機構部2dとが噛み合っている。
【００２２】
上ケーシング体３は、下方開口円筒状の上主部材3aと、上主部材3aの下縁部に配された上方開口環状溝型部材3b（以下、上溝型部材と呼ぶ）とを備えている。上主部材3aの下縁外周部には下方開口環状溝部が形成されており、溝部内に２つのステッピングモータ５が固定されている（以下、このステッピングモータを上ステッピングモータと呼ぶ）。これらの上ステッピングモータ５は、駆動軸5aが下方に向かって伸びるように配されている。また、上ステッピングモータ５の駆動軸5aにはネジが切られている。さらに、上主部材3aの環状溝部外壁内面の下縁にはフェルト製シール部材10が配されている。
【００２３】
上溝型部材3bは、上主部材3aの下方開口環状溝部に嵌め入れられた状態となっており、上溝型部材3bの外壁外面が上主部材3aのフェルト製シール部材10と当接した状態となっている。この上溝型部材3bの外壁と内壁との間には、上溝型部材3bの開口を塞ぐ円環状部材3cが配されている。円環状部材3cには周方向に等間隔を置いて２つの貫通孔が開けられており、各貫通孔にボール循環機構部3dが配されている。そして、各ボール循環機構部3dと上ステッピングモータ５の駆動軸5aとが噛み合ってボールネジ機構が構成されている。また、円環状部材3cの内壁に形成された周溝には、Ｏリング９が配されており、Ｏリング９が上主部材3aの環状溝部の内壁外面に当接した状態となっている。
【００２４】
上ケーシング体３と下ケーシング体２との間にリング状のガイドルーバ体６が配されている。ガイドルーバ体６の内面下部には外方に行くに従って下方に傾斜する分級案内面6aが形成されている。また、ガイドルーバ体６には、分級室内にエアを導くための複数のエア導入孔6bが開けられている。
【００２５】
上記の構成を有する分級機では、例えば、上ステッピングモータ５を回転させると、上主部材3aが上ステッピングモータ５の回転方向に従って上下に摺動する。この上下の摺動によって上主部材3a内に固定された上分級板12が上下に移動し、上下の分級板12、11の間隔を調整することが出来る。上下の摺動の際は、Ｏリング９により、摺動部分の気密は保たれる。図１に示した状態から上主部材3aのみを上方に動かした状態は、図３に示されている。
【００２６】
図３に示した状態から下ステッピングモータ４を回転させると、下環状溝型部材2b、ガイドルーバ体６および上ケーシング体３が下ステッピングモータ４の回転方向に従って上下に一体となって摺動する。この摺動によって下分級板11とガイドルーバ体６の分級案内面6aとの間隔を調整することが出来る。なお、上下の摺動の際は、Ｏリング７によって摺動部分の気密は保たれる。図３に示した状態から、下環状部材2b、ガイドルーバ体６および上ケーシング体３を上方に動かした状態は、図４に示されている。
【００２７】
なお、ガイドルーバ体6の分級案内面6aと下分級板11との間隔のみを調整したい場合は、図４の状態から上ステッピングモータ５を回転させて上主部材3aを下降させ、上分級板12と下分級板11との間隔を図１の場合と同じ高さにすればよい。なお、以上述べた調整は、分級機の運転中であっても行うことができる。
【００２８】
上下分級板12,11の間隔および下分級板11と分級案内傾斜面6aとの間隔を調整した後に分級室内に粉体を供給して高速旋回させることで分級する手順は従来と変わりなく、説明は省略する。
【００２９】
なお、本発明の分級機は上記実施形態のものには限られない。例えば、上記実施形態は二つの移動手段を備えているが、少なくとも一方の移動手段を備え、上下分級板の間隔および下分級板と分級案内傾斜面との間隔の少なくとも一方を調節できればよい。
【図面の簡単な説明】
【００３０】
【図１】本発明の一実施形態の分級機の一部を切り欠いた正面図である。
【図２】図１の要部断面図である。
【図３】上ケーシング体のみを上昇させた同分級機の垂直断面図である。
【図４】図３の状態からガイドルーバ体を上昇させた同分級機の垂直断面図である。
【符号の説明】
【００３１】
１           分級機
２           下ケーシング体
2a           下主部材
2b           下溝型部材
2c           円環状部材
2d           ネジ孔
３           上ケーシング体
3a           上主部材
3b           上溝型部材
3c           円環状部材
４           ステッピングモータ
4a           駆動軸
５           ステッピングモータ
5a           駆動軸
６           ガイドルーバ体
6a           分級案内面
6b           導入孔
７           Ｏリング
８           フェルト製シール部材
９           Ｏリング
10           フェルト製シール部材
11           下分級板
12                                                
上分級板
13                                                
微粉回収管
【図１】
2007105697.tif 000003
【図２】
2007105697.tif 000004
【図３】
2007105697.tif 000005
【図４】
2007105697.tif 000006